(57)【要約】【課題】本発明は、組み立て後に面積が小さくなるよう簡単に折り畳むことができる比較的安価な箱用シートを提供することを課題とする。【解決手段】本発明の一態様に係る箱用シートは、１枚の段ボールシートから形成され、一対の長辺側面パネル及び一対の短辺側面パネルと、一対の底外フラップと、一対の底内フラップとを備え、箱状に組み立てられる箱用シートであって、上記一対の短辺側面パネルが、左右方向中央に上下方向に縦断する側面折曲線をそれぞれ有し、上記一対の底外フラップが、基端縁の両端から４５°の角度で先端縁まで延びる一対の底傾斜折曲線と、先端縁と間隔を開けて両側縁から左右方向内側に延びる一対の底横切断線とをそれぞれ有し、上記一対の底内フラップが、左右方向中央に上下方向に縦断する底内縦折曲線をそれぞれ有することを特徴とする。【選択図】図１
2019218102.tif 000002
【特許請求の範囲】
【請求項１】
１枚の段ボールシートから形成され、
左右方向に交互に連設される一対の長辺側面パネル及び一対の短辺側面パネルと、
上記長辺側面パネルの下縁から延出し、延出長さが上記短辺側面パネルの左右方向の長さの略１／２である方形状の一対の底外フラップと、
上記短辺側面パネルの下縁から延出する一対の底内フラップと
を備え、
箱状に組み立てられる箱用シートであって、
上記一対の短辺側面パネルが、左右方向中央に上下方向に縦断する側面折曲線をそれぞれ有し、
上記一対の底外フラップが、
基端縁の両端から４５°の角度で先端縁まで延びる一対の底傾斜折曲線と、
先端縁と間隔を開けて両側縁から左右方向内側に延びる一対の底横切断線と
をそれぞれ有し、
上記一対の底内フラップが、左右方向中央に上下方向に縦断する底内縦折曲線をそれぞれ有することを特徴とする箱用シート。
【請求項２】
上記一対の底外フラップが、先端縁から上記底横切断線の先端近傍まで上下方向に延びる一対の底外縦折曲線をさらに有する請求項１に記載の箱用シート。
【請求項３】
上記一対の底外フラップが、上記底横切断線の先端と上記底外縦折曲線の先端とを滑らかに接続する一対の底湾曲切断線をさらに有する請求項２に記載の箱用シート。
【請求項４】
上記底横切断線と上記底外フラップの先端縁との距離が、２０ｍｍ以上３５ｍｍ以下である請求項１、請求項２又は請求項３に記載の箱用シート。
【請求項５】
上記底横切断線の長さが２０ｍｍ以上３５ｍｍ以下である請求項１から請求項４に記載の箱用シート。
【発明の詳細な説明】
【技術分野】
【０００１】
本発明は、箱用シートに関する。
【背景技術】
【０００２】
輸送や保管のために、各種の物品を収容する容器として、段ボール箱が広く利用されている。一般的に、段ボール箱は、１枚の段ボールシートを組み立てて形成される。特に広く利用される段ボール箱は、左右方向に交互に連設される一対の短辺側面パネル及び長辺側面パネルを無端状に接続して四角筒状体を形成し、４つの側面パネルの上縁及び下縁からそれぞれ延出するフラップによって四角筒状体の上端及び下端の開口を封止するよう構成される。
【０００３】
このような段ボール箱の中には、いわゆる通函等、使用後に扁平に折り畳んだ状態で積層して保管され、再度箱状に組み立てて使用されるものがある。このように折り畳んで保管される段ボール箱用シートは、保管スペースを小さくできるよう、折り畳んだときの面積（幅及び奥行き）が小さいことが好ましい。
【０００４】
折り畳み状態の箱用シートの面積を小さくする手段として、実用新案登録第３０１５６７１号公報には、短辺側面パネル並びに短辺側面パネルの下縁から延出する短辺底フラップの左右方向中央に上下に縦断する折曲線を形成し、短辺側面パネルを谷折りして一対の長辺側面パネルの間に挟み込むように折り畳み可能とする構成が開示されている。
【０００５】
上記公報に記載の箱用シートは、例えばＪＩＳ−Ｚ１５０７（２０１３）にコード番号０７１２号として規定されるようないわゆるワンタッチ底タイプのものである。つまり、上記公報に記載の箱用シートは、短辺底フラップを長辺側面パネルの下縁から延出する長辺底フラップに貼り合わせ、短辺底フラップ及び長辺底フラップを短辺側面パネル及び長辺側面パネルの裏側に折り返して折り畳んだ状態で提供され、長辺側面パネルと短辺側面パネルとの間を直角に開いて四角筒状にすることで、短辺底フラップ及び長辺底フラップが四角筒状体の底を封止するよう構成されている。
【０００６】
上記公報に記載される構成では、予め短辺底フラップと長辺底フラップとを貼り合わせる必要があるため、箱用シートが比較的高価となる。
【０００７】
比較的安価な箱用シートとしては、例えばＪＩＳ−Ｚ１５０７（２０１３）にコード番号０２０１号として規定されるようないわゆるＡ式（みかん箱タイプともいう）のものが知られている。Ａ式の段ボール箱は、短辺側面パネルの下縁から延出する底内フラップの外側に長辺側面パネルの下縁から延出する底外フラップを折り重ね、底外フラップの先端縁の合わせ目に沿って粘着テープを貼着する。このようなＡ式の段ボール箱に上記公報の構成を適用したとしても、短辺側面パネルを谷折りして長辺側面パネルの間に折り込んで小さく折り畳もうとすると、段ボールシートの厚さにより底外フラップの先端縁両端部に貼着されている粘着テープに過剰な負荷が加わり、粘着テープが剥がれたり段ボールシートが破断してしまう。
【０００８】
実開昭５３−６０４３９号公報には、Ａ式段ボール箱の底外フラップに基端縁両端から４５°の角度で先端縁まで延びる折曲線を形成し、この底外フラップの折曲線の外側の三角形部分を底内フラップに接着することで、短辺側面パネル、底内フラップ及び底外フラップを一対の長辺側面パネルの間に挟み込むようにして折り畳み可能とする構成が記載されている。
【０００９】
しかしながら、この公報に記載の構成では、底外フラップを底内フラップに接着する必要があるため、一般的な粘着テープによる封函装置を使用することができないため、製函コストが大きくなる。
【先行技術文献】
【特許文献】
【００１０】
【特許文献１】実用新案登録第３０１５６７１号公報
【特許文献２】実開昭５３−６０４３９号公報
【発明の概要】
【発明が解決しようとする課題】
【００１１】
上記不都合に鑑みて、本発明は、組み立て後に面積が小さくなるよう簡単に折り畳むことができる比較的安価な箱用シートを提供することを課題とする。
【課題を解決するための手段】
【００１２】
上記課題を解決するためになされた本発明の一態様に係る箱用シートは、１枚の段ボールシートから形成され、左右方向に交互に連設される一対の長辺側面パネル及び一対の短辺側面パネルと、上記長辺側面パネルの下縁から延出し、延出長さが上記短辺側面パネルの左右方向の長さの略１／２である方形状の一対の底外フラップと、上記短辺側面パネルの下縁から延出する一対の底内フラップとを備え、箱状に組み立てられる箱用シートであって、上記一対の短辺側面パネルが、左右方向中央に上下方向に縦断する側面折曲線をそれぞれ有し、上記一対の底外フラップが、基端縁の両端から４５°の角度で先端縁まで延びる一対の底傾斜折曲線と、先端縁と間隔を開けて両側縁から左右方向内側に延びる一対の底横切断線とをそれぞれ有し、上記一対の底内フラップが、左右方向中央に上下方向に縦断する底内縦折曲線をそれぞれ有することを特徴とする。
【００１３】
当該箱用シートは、上記一対の底外フラップ及び上記一対の底内フラップを有することによって、箱状に組み立てられたときに上記一対の底外フラップの先端縁同士を突き合わせて粘着テープで封止することができる。このため、当該箱用シートは、予め上記底外フラップと上記底内フラップとを貼り合わせる必要がないので、比較的安価に提供することができる。また、当該箱用シートは、上記短辺側面パネルが上下方向に縦断する側面折曲線を有し、上記底外フラップが基端縁の両端から４５°の角度で先端縁まで延びる底傾斜折曲線とを有し、上記底内フラップが上下方向に縦断する底内縦折曲線を有することによって、上記一対の底外フラップの先端縁同士を突合わせて粘着テープにより接続した状態で、上記短辺側面パネルを上記側面折曲線で谷折りにして上記一対の長辺側面パネル間に挟み込んで小さく折り畳むことができる。さらに、当該箱用シートは、上記底外フラップが先端縁と間隔を開けて両側縁から左右方向内側に延びる上記一対の底横切断線を有することによって、上記底内フラップ及び上記底外フラップの上記底傾斜折曲線より外側の三角形部分を上記短辺側面パネルの内側に重ねて折り込む際に、上記底横切断線を開いて段ボールシートの厚さを吸収することができる。このため、当該箱用シートは、上記底外フラップと上記短辺側面パネルとに亘って貼着されている粘着テープ又はその直下の段ボールシートに過剰な応力が集中することを防止できる。このため、当該箱用シートは、上記粘着テープ又は段ボールシートが破断することを防止して当該箱用シートを組み立ててなる箱体を面積が小さくなるよう容易に折り畳むことができる。
【００１４】
当該箱用シートにおいて、上記一対の底外フラップが、先端縁から上記底横切断線の先端近傍まで上下方向に延びる一対の底外縦折曲線をさらに有してもよい。このように、上記一対の底外フラップが、先端縁から上記底横切断線の先端近傍まで上下方向に延びる一対の底外縦折曲線をさらに有することによって、応力の集中をより確実に防止することができる。
【００１５】
当該箱用シートにおいて、上記一対の底外フラップが、上記底横切断線の先端と上記底外縦折曲線の先端とを滑らかに接続する一対の底湾曲切断線をさらに有してもよい。このように、上記一対の底外フラップが、上記底横切断線の先端と上記底外縦折曲線の先端とを滑らかに接続する一対の底湾曲切断線をさらに有することによって、上記底横切断線の先端を起点として段ボールシートが破断することを防止できる。
【００１６】
当該箱用シートにおいて、上記底横切断線と上記底外フラップの先端縁との距離が、２０ｍｍ以上３５ｍｍ以下であることが好ましい。このように、上記底横切断線と上記底外フラップの先端縁との距離が上記範囲内であることによって、一般的な幅の粘着テープを上記底横切断線を避けて貼着することができる。
【００１７】
当該箱用シートにおいて、上記底横切断線の長さが２０ｍｍ以上３５ｍｍ以下であることが好ましい。このように、上記底横切断線の長さが上記範囲内であることによって、当該箱用シートを組み立ててなる箱体の強度低下を抑制しつつ、面積が小さくなるよう折り畳むことをより確実にすることができる。
【発明の効果】
【００１８】
以上のように、本発明の箱用シートは、比較的安価でありながら、面積が小さくなるよう簡単に折り畳むことができる。
【図面の簡単な説明】
【００１９】
【図１】本発明の一実施形態の箱用シートを示す模式的平面図（展開図）である。
【図２】図１の箱用シートを組み立ててなる箱体の底面側を示す模式的斜視図である。
【図３】図１の箱用シートを折り畳んだ状態を示す模式的斜視図である。
【図４】図１の箱用シートの底外フラップの先端角部を示す模式的拡大平面図である。
【図５】参考形態の箱用シートを示す模式的平面図である。
【図６】図５の箱用シートを組み立ててなる箱体を折り畳む途中を示す模式的斜視図である。
【図７】図５の箱用シートを組み立ててなる箱体を折り畳んだ状態を示す模式的斜視図である。
【発明を実施するための形態】
【００２０】
以下、適宜図面を参照しつつ、本発明の実施の形態を詳説する。
【００２１】
［箱用シート］
図１に、本発明の一実施形態に係る箱用シートを示す。当該箱用シートは、１枚の段ボールシートから形成される。なお、図１において、太い実線は段ボールシートを切断した切断線を示し、細い実線は段ボールシートの一方の面（通常は組み立て状態で内側に配置される面）に筋押しして形成される罫線を示す。
【００２２】
当該箱用シートを形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２３】
当該箱用シートは、左右方向に交互に連設される方形状の一対の長辺側面パネル（第１長辺側面パネル１、第２長辺側面パネル２）及び長辺側面パネル１，２よりも左右方向の幅が小さい一対の短辺側面パネル（第１短辺側面パネル３、第２短辺側面パネル４）と、第１長辺側面パネル１の第１短辺側面パネル３と反対側の側縁に連接され、第２短辺側面パネル４の第２長辺側面パネル２と反対側の側縁近傍部の内面に接着されることにより、二対の側面パネル１〜４を四角筒状に連結する継ぎしろ５と、一対の長辺側面パネル１，２の上縁から延出し、延出長さが短辺側面パネル３，４の左右方向の長さの略１／２である方形状の一対の蓋外フラップ（第１蓋外フラップ６、第２蓋外フラップ７）及び下縁から延出し、延出長さが短辺側面パネル３，４の左右方向の長さの略１／２である方形状の一対の底外フラップ（第１底外フラップ８、第２底外フラップ９）と、一対の短辺側面パネル３，４の上縁から延出し、延出長さが蓋外フラップ６，７と等しい一対の蓋内フラップ（第１蓋内フラップ１０、第２蓋内フラップ１１）及び下縁から延出し、延出長さが底外フラップ８，９と等しい一対の底内フラップ（第１底内フラップ１２、第２底内フラップ１３）とを備える。
【００２４】
当該箱用シートにおいて、段ボールシートは、中芯の稜線が上下方向に延びるよう配向されることが好ましい。
【００２５】
なお、本明細書において、「左右方向」とは、当該箱用シートを組み立ててなる箱体の想定される一般的な使用態様における水平方向に対応する方向であり、「上」及び「下」とは、想定される一般的な使用態様における上下方向を意味しているが、当該箱用シートの製造時の向きや当該箱用シートを組み立ててなる箱体の使用時の向き制限することを企図しない。
【００２６】
当該箱用シートは、第２短辺側面パネル４の内面に継ぎしろ５を接着して、側面パネル１〜４を無端ループ状に接続した状態でユーザーに提供される。第２短辺側面パネル４への継ぎしろ５の接着は、例えば接着剤、ステープラー等を用いて行うことができる。
【００２７】
当該箱用シートは、図２に示すように、一対の長辺側面パネル１，２同士及び一対の短辺側面パネル３，４同士をそれぞれ対向させて四角筒状体を形成し、この四角筒状体の上端を蓋外フラップ６，７及び蓋内フラップ１０，１１で封止し、下端を底外フラップ８，９及び底内フラップ１２，１３で封止することによって、底体及び蓋体を有する箱状に組み立てられる。
【００２８】
より詳しくは、当該箱用シートを組み立ててなる箱体において、二対の側面パネル１〜４から形成される四角筒状体の上端は、一対の蓋内フラップ１０，１１を内側に折り曲げ、この一対の蓋内フラップ１０，１１の外面に一対の蓋外フラップ６，７を折り重ね、この一対の蓋外フラップ６，７の先端縁同士を突き合わせることで封止される。さらに、一対の短辺側面パネル３，４の上部中央間に掛け渡すよう、蓋外フラップ６，７の先端縁の合わせ目に沿って粘着テープＴを貼着することによって、四角筒状体の上端を封止する状態を保持することができる。
【００２９】
同様に、４つの側面パネル１〜４から形成される四角筒状体の下端は、一対の底内フラップ１２，１３を内側に折り曲げ、この一対の底内フラップ１２，１３の外面に一対の底外フラップ８，９を折り重ね、一対の底外フラップ８，９の先端縁同士を突き合わせることで封止される。特に、この四角筒状体の下端については、一対の短辺側面パネル３，４の下部中央間に掛け渡すよう、底外フラップ８，９の先端縁の合わせ目に沿って粘着テープＴを貼着することによって封止状態を保持することが前提とされている。
【００３０】
当該箱用シートは、長辺側面パネル１，２及び底外フラップ８，９間の境界並びに短辺側面パネル３，４及び底内フラップ１２，１３間の境界に、平行な２本の折曲線からなる端部折曲線（長辺側面パネル１，２及び底外フラップ８，９間の長辺端部折曲線１４、短辺側面パネル３，４及び底内フラップ１２，１３間の短辺端部折曲線１５）が形成されていることが好ましい。つまり、好ましくは、側面パネル１〜４の下縁は、端部折曲線１４，１５によって画定される。
【００３１】
一対の短辺側面パネル３，４は、左右方向中央に上下方向に縦断する側面折曲線１６をそれぞれ有する。
【００３２】
側面折曲線１６は、短辺側面パネル３，４を左右方向中央で谷折りにして一対の長辺側面パネル１，２の間に挟み込むことを可能にする。これにより、当該箱用シートは、面積が小さくなるよう折り畳むことができる。
【００３３】
側面折曲線１６は、当該箱用シートを組み立ててなる箱体の強度低下を抑制するために、段ボールシートに筋押しして形成される罫線であることが好ましい。
【００３４】
一対の蓋内フラップ１０，１１は、左右方向中央に上下方向に縦断する蓋折曲線１７をそれぞれ有する。
【００３５】
蓋折曲線１７は、短辺側面パネル３，４と一体に蓋内フラップ１０，１１を左右方向中央で谷折りにすることを可能にする。
【００３６】
蓋折曲線１７は、当該箱用シートを組み立ててなる箱体の強度に対する影響が小さいため、折り曲げをより容易にするために、ミシン目状に間隔を空けて一列に並んで形成される複数の短い切断線と、切断線間を接続する複数の罫線とから構成されるリード罫線であることが好ましい。
【００３７】
一対の蓋内フラップ１０，１１は、先端部左右方向中央に、蓋切り欠き１８が形成されている。この蓋切り欠き１８は、蓋折曲線１７に沿って段ボールシートを折り曲げることをさらに容易にする。
【００３８】
一対の底内フラップ１２，１３は、左右方向中央に上下方向に横断する底内縦折曲線１９をそれぞれ有する。
【００３９】
底内縦折曲線１９は、底内フラップ１２，１３を短辺側面パネル３，４の内面に密着させるよう折り返して短辺側面パネル３，４と共に二つ折りにすることを可能にする。
【００４０】
底内縦折曲線１９は、短辺側面パネル３，４を内側にして二つ折りにすることが容易となるよう、平行に形成される２本の折曲線によって構成されることが好ましい。この底内縦折曲線１９を構成する２本の折曲線は、リード罫線であってもよく、罫線と１又は複数の切断線との組み合わせであってもよい。
【００４１】
底内縦折曲線１９を構成する２本の折曲線の間隔としては、当該箱用シートを形成する段ボールシートの厚さの２倍以上５倍以下とすることができる。
【００４２】
一対の底内フラップ１２，１３は、先端部左右方向中央に、底切り欠き２０が形成されている。この底切り欠き２０は、底内縦折曲線１９に沿って段ボールシートを折り曲げることをさらに容易にする。特に、底内縦折曲線１９に沿う折り曲げを蓋折曲線１７に沿う折り曲げよりも容易にするために、底切り欠き２０の上下方向深さは、蓋切り欠き１８の上下方向深さよりも大きいことが好ましい。
【００４３】
さらに、当該箱用シートは、短辺端部折曲線１５を構成する２本の折曲線の間に、側面折曲線１６の端部と底内縦折曲線１９を構成する２本の折曲線の端部とを接続するＶ字状の補助切断線２１がそれぞれ形成されている。
【００４４】
補助切断線２１は、当該箱用シートを小さく折り畳むときに、側面折曲線１６の端部及び底内縦折曲線１９の端部の近傍に応力が集中して段ボールシートが破断することを防止する。
【００４５】
一対の底外フラップ８，９は、基端縁（端部折曲線１４，１５）の両端から４５°の角度で先端縁まで延びる一対の底傾斜折曲線２２をそれぞれ有する。
【００４６】
底傾斜折曲線２２は、底外フラップ８，９をその外側の二等辺三角形状部分２３と、その内側の台形状部分２４とに区分する。二等辺三角形状部分２３は、底内フラップ１２，１３と共に短辺側面パネル３，４の内面側に折り返され、二つ折りにされる短辺側面パネル３，４及び底内フラップ１２，１３を挟み込む。一方、台形状部分２４は、長辺側面パネル１，２の内面側に折り返され、二等辺三角形状部分２３を挟み込む。これにより、当該箱用シートは、図３に示すように、短辺側面パネル３，４、底外フラップ８，９及び底内フラップ１２，１３を一対の長辺側面パネル１，２の間に挟み込んで面積が比較的小さくなるよう折り畳むことができる。
【００４７】
底傾斜折曲線２２は、段ボールシートを容易且つ確実に１８０°折り返すことができるよう、リード罫線であることが好ましい。
【００４８】
また、一対の底外フラップ８，９は、先端縁と間隔を開けて両側縁から左右方向内側に延びる一対の底横切断線２５をそれぞれ有する。
【００４９】
底横切断線２５は、当該箱用シートを小さく折り畳む際に、底外フラップ８，９の側縁側が開くことによって、短辺側面パネル３，４及び底内フラップ１２，１３の厚さを吸収し、粘着テープＴの短辺側面パネル３，４と底外フラップ８，９との境界近傍領域又はこの領域の段ボールシートが応力の集中により破断したり粘着テープＴが段ボールシートから剥離することを防止できる。
【００５０】
底横切断線２５と底外フラップ８，９の先端縁との距離の下限としては、２０ｍｍが好ましく、２３ｍｍがより好ましい。一方、底横切断線２５と底外フラップ８，９の先端縁との距離の上限としては、３５ｍｍが好ましく、３２ｍｍがより好ましい。底横切断線２５と底外フラップ８，９の先端縁との距離が上記下限に満たない場合、第１底外フラップ８の底横切断線２５と第２底外フラップ９の底横切断線２５との間に粘着テープＴを貼着することが困難となるおそれがある。逆に、底横切断線２５と底外フラップ８，９の先端縁との距離が上記上限を超える場合、当該箱用シートを小さく折り畳む際に段ボールシートの厚さを十分に吸収することができず、粘着テープＴが剥がれたり粘着テープ又は段ボールシートが破断するおそれがある。
【００５１】
底横切断線２５の長さの下限としては、２０ｍｍが好ましく、２３ｍｍがより好ましい。一方、底横切断線２５の長さの上限としては、３５ｍｍが好ましく、３２ｍｍがより好ましい。底横切断線２５の長さが上記下限に満たない場合、小さく折り畳む際に段ボールシートの厚さを十分に吸収することができず、粘着テープＴが剥がれたり段ボールシートが破断するおそれがある。逆に、底横切断線２５の長さが上記上限を超える場合、当該箱用シートを組み立ててなる箱体の強度が不必要に低下するおそれがある。
【００５２】
また、一対の底外フラップ８，９は、先端縁から底横切断線２５の先端近傍まで上下方向に延びる一対の底外縦折曲線２６をそれぞれ有する。
【００５３】
底外縦折曲線２６は、底横切断線２５が開くことを促進し、応力の集中をより効果的に緩和して、粘着テープＴ若しくは段ボールシートの破断又は粘着テープＴの剥離をより確実に防止することを可能にする。
【００５４】
底外縦折曲線２６は、当該箱用シートを組み立ててなる箱体の強度低下を抑制するために、段ボールシートに筋押しして形成される罫線であることが好ましい。
【００５５】
さらに、一対の底外フラップ８，９は、図４に詳しく示すように、底横切断線２５の先端と底外縦折曲線２６の先端とを滑らかに接続、つまり角がないように曲線で接続する一対の底湾曲切断線２７をさらに有する。
【００５６】
この底湾曲切断線２７は、当該箱用シートを小さく折り畳む際に、応力集中により底横切断線２５の先端を起点として段ボールシートが破断することを防止する。
【００５７】
底湾曲切断線２７の形状としては、円弧状とすることができる。この底湾曲切断線２７の最小半径としては、例えば２ｍｍ以上５ｍｍ以下とすることができる。
【００５８】
＜利点＞
当該箱用シートは、長辺側面パネル１，２及び短辺側面パネル３，４によって形成される四角筒状体の下端を一対の底外フラップ８，９の先端縁同士を突き合わせて粘着テープＴを貼着することで封止できる。このため、当該箱用シートは、底外フラップ８，９と底内フラップ１２，１３とを予め貼り合わせる必要がないので、比較的安価に提供することができる。
【００５９】
また、当該箱用シートは、短辺側面パネル３，４に側面折曲線１６が、蓋内フラップ１０，１１に蓋折曲線１７が、底内フラップ１２，１３に底内縦折曲線１９がそれぞれ形成されているため、短辺側面パネル３，４を蓋内フラップ１０，１１及び底内フラップ１２，１３と共に二つ折りにして一対の長辺側面パネル１，２の間に挟み込んで面積が小さくなるよう折り畳むことができる。
【００６０】
さらに、当該箱用シートは、底外フラップ８，９に一対の底傾斜折曲線２２が形成されているため、この底傾斜折曲線２２の外側の二等辺三角形状部分２３を内側の台形状部分２４の外面側に折り返すことで、一対の底外フラップ８，９の先端縁同士を突き合わせて粘着テープＴで接続した状態のまま、上述のように短辺側面パネル３，４を二つ折りにすると同時に、底外フラップ８，９及び底内フラップ１２，１３を長辺側面パネル１，２及び短辺側面パネル３，４の内面側に折り返すことで、底外フラップ８，９及び底内フラップ１２，１３も一対の長辺側面パネル１，２の間に挟み込み、折り畳み時の面積をさらに小さくすることができる。
【００６１】
ここで、当該箱用シートは、底外フラップ８，９に一対の底横切断線２５が形成されているため、上述のような折り畳みに際に、底横切断線２５の外側の端部を開いて段ボールシートの厚さを吸収することができる。
【００６２】
より詳しく説明すると、当該箱用シートを組み立てた箱体では、一対の底外フラップ８，９を粘着テープＴで接続した接続体の側縁が、粘着テープＴによって短辺側面パネル３，４の下縁と一定の幅に亘って接続されている。この箱体を上述のように扁平に折り畳む場合、短辺側面パネル３，４が最も内側で二つ折りにされ、折り曲げ位置において粘着テープＴにより短辺側面パネル３，４に接続されている底外フラップ８，９の接続体が底内フラップ１２，１３を挟んで最も外側で二つ折りにされる。
【００６３】
このため、底外フラップ８，９の接続体は、折り曲げ部において、短辺側面パネル３，４及び底内フラップ１２，１３の折り曲げ部の外側を迂回する分の長さを必要とする。底外フラップ８，９の基端側部分は長辺側面パネル１，２を介して短辺側面パネル３，４に接続されており、短辺側面パネル３，４の左右方向両側部分に対する相対移動が規制されるので、底外フラップ８，９の接続体の側縁には、折り畳み時に引張応力が作用する。このとき、当該箱用シートでは、底横切断線２５が開くことにより、底外フラップ８，９の接続体の側縁の実質的な長さを増大して張力を緩和することができ、粘着テープＴが剥がれたり、粘着テープＴが貼着されている領域の段ボールシートが破断することを防止できる。
【００６４】
なお、このような底外フラップ８，９の接続体の側縁に作用する張力以外にも、折り畳み時に当該箱用シートに作用する応力が存在するが、それらの応力は段ボールシートの弾性により吸収することができる。
【００６５】
以上のように、当該箱用シートは、箱状に組み立てた状態から面積が小さくなるよう容易に折り畳むことができる。これにより、折り畳み状態の当該箱用シートを複数重ねて保管するための占有スペースが小さくなる。また、複数の当該箱用シートを宅配便等により発送する場合に、幅、奥行き及び高さの合計寸法を抑制して発送費用を安価にすることができる。
【００６６】
［その他の実施形態］
実施形態は、本発明の構成を限定するものではない。従って、実施形態は、本明細書の記載及び技術常識に基づいて実施形態各部の構成要素の省略、置換又は追加が可能であり、それらは全て本発明の範囲に属するものと解釈されるべきである。
【００６７】
当該箱用シートにおいて、底外縦折曲線及び湾曲切断線は省略してもよい。また、当該箱用シートにおいて、底湾曲切断線を省略して底外縦折曲線を底横切断線に直接接続してもよく、底湾曲切断線に換えて段ボールシートの破断を防止する他の構成、例えば底横切断線の先端に小さい角のない開口を形成したり、底横切断線の先端部がＴ字状となるよう底横切断線に垂直な短い切断線を形成する構成を採用してもよい。
【００６８】
当該箱用シートにおいて、内フラップの形状（切り欠き等）は任意であり、一般的な方形状のものであってもよい。
【００６９】
当該箱用シートにおいて、継ぎしろは、第２短辺側面パネルの第２長辺側面パネルと反対側の側縁に連設されていてもよい。
【００７０】
［参考形態］
図５に、本考案の参考形態に係る箱用シートを示す。この参考形態の箱用シートは、１枚の段ボールシートから形成される。
【００７１】
参考形態の箱用シートは、左右方向に交互に連設される方形状の一対の長辺側面パネル（第１長辺側面パネル４１、第２長辺側面パネル４２）及び長辺側面パネル４１，４２よりも左右方向の幅が小さい一対の短辺側面パネル（第１短辺側面パネル４３、第２短辺側面パネル４４）と、第１長辺側面パネル４１の第１短辺側面パネル４３と反対側の側縁に連接され、第２短辺側面パネル４４の第２長辺側面パネル４２と反対側の側縁近傍部の内面に接着されることにより、二対の側面パネル４１〜４４を四角筒状に連結する継ぎしろ４５と、一対の長辺側面パネル４１，４２の上縁から延出する一対の蓋外フラップ（第１蓋外フラップ４６、第２蓋外フラップ４７）及び下縁から延出する一対の底外フラップ（第１底外フラップ４８、第２底外フラップ４９）と、一対の短辺側面パネル４３，４４の上縁から延出する一対の蓋内フラップ（第１蓋内フラップ５０、第２蓋内フラップ５１）及び下縁から延出する一対の底内フラップ（第１底内フラップ５２、第２底内フラップ５３）とを備える。第２短辺側面パネル４４への継ぎしろ４５の接着は、例えば接着剤、ステープラー等を用いて行うことができる。
【００７２】
参考形態の箱用シートにおいて、段ボールシートは、中芯の稜線が上下方向に延びるよう配向されることが好ましい。
【００７３】
参考形態の箱用シートは、第２短辺側面パネル４４の内面に継ぎしろ４５を接着して、側面パネル４１〜４４を無端ループ状に接続した状態でユーザーに提供される。
【００７４】
参考形態の箱用シートは、一対の長辺側面パネル４１，４２同士及び一対の短辺側面パネル４３，４４同士をそれぞれ対向させて四角筒状体を形成し、この四角筒状体の上端を蓋外フラップ４６，４７及び蓋内フラップ５０，５１で封止し、下端を底外フラップ４８，４９及び底内フラップ５２，５３で封止することによって、底体及び蓋体を有する箱状に組み立てられる。
【００７５】
より詳しくは、参考形態の箱用シートを組み立ててなる箱体において、二対の側面パネル４１〜４４から形成される四角筒状体の上端は、一対の蓋内フラップ５０，５１を内側に折り曲げ、この一対の蓋内フラップ５０，５１の外面に一対の蓋外フラップ４６，４７を折り重ね、この一対の蓋外フラップ４６，４７の先端縁同士を突き合わせることで封止される。同様に、４つの側面パネル４１〜４４から形成される四角筒状体の下端は、一対の底内フラップ５２，５３を内側に折り曲げ、この一対の底内フラップ５２，５３の外面に一対の底外フラップ４８，４９を折り重ね、一対の底外フラップ４８，４９の先端縁同士を突き合わせることで封止される。
【００７６】
一般に、参考形態の箱用シートを組み立ててなる箱体は、一対の蓋外フラップ４６，４７及び一対の底外フラップ４８，４９の合わせ目に沿って粘着テープを貼着することで、封函状態が保持される。
【００７７】
参考形態の箱用シートは、長辺側面パネル４１，４２及び外フラップ４６〜４９間の境界及び短辺側面パネル４３，４４及び内フラップ５０〜５３間の境界に、平行な２本の折曲容易線からなる端部折曲線５４〜６１（第１長辺側面パネル４１及び第１蓋外フラップ４６間の端部折曲線５４、第２長辺側面パネル４２及び第２蓋外フラップ４７間の端部折曲線５５、第１長辺側面パネル４１及び第１底外フラップ４８間の端部折曲線５６、第２長辺側面パネル４２及び第２底外フラップ４９間の端部折曲線５７、第１短辺側面パネル４３及び第１蓋内フラップ５０間の端部折曲線５８、第２短辺側面パネル４４及び第２蓋内フラップ５１間の端部折曲線５９、第１短辺側面パネル４３及び第１底内フラップ５２間の端部折曲線６０及び第２短辺側面パネル４４及び第２底内フラップ５３間の端部折曲線６１）が形成されている。つまり、側面パネル４１〜４４の上縁及び下縁は、端部折曲線５４〜６１によって画定されている。
【００７８】
また、参考形態の箱用シートは、一対の短辺側面パネル４３，４４の左右方向中央に、上下方向に短辺側面パネル４３，４４を縦断する１本の折曲容易線からなる側面折曲線（第１短辺側面パネル４３の側面折曲線６２及び第２短辺側面パネル４４の側面折曲線６３）がそれぞれ形成されている。
【００７９】
また、参考形態の箱用シートは、二対の内フラップ５０〜５３の左右方向中央に、上下方向に内フラップ５０〜５３を縦断する平行な２本の折曲容易線からなるフラップ折曲線（第１蓋内フラップ５０のフラップ折曲線６４、第２蓋内フラップ５１のフラップ折曲線６５、第１底内フラップ５２のラップ折曲線６６及び第２底内フラップ５３のフラップ折曲線６７）がそれぞれ形成されている。
【００８０】
さらに、参考形態の箱用シートは、端部折曲線５８〜６１を構成する２本の折曲容易線の間に、側面折曲線６２，６３の端部とフラップ折曲線６４〜６７を構成する２本の折曲容易線の端部とを接続するＶ字状の折曲容易線からなる補助折曲線（第１短辺側面パネル４３及び第１蓋内フラップ５０間の補助折曲線６８、第２短辺側面パネル４４及び第２蓋内フラップ５１間の補助折曲線６９、第１短辺側面パネル４３及び第１底内フラップ５２間の補助折曲線６０及び第１短辺側面パネル４３及び第２底内フラップ５３間の補助折曲線６１）がそれぞれ形成されている。
【００８１】
また、参考形態の箱用シートは、一般的なＡ式（みかん箱タイプ）の箱用シートと同様に、第１長辺側面パネル４１を第１短辺側面パネル４３の内面に、第２短辺側面パネル４４を第２長辺側面パネル４２の内面にそれぞれ密着させた状態に折り畳むことができる。
【００８２】
加えて、参考形態の箱用シートは、図６に示すように、長辺側面パネル４１，４２の内面側に底外フラップ４８，４９を折り重ね、短辺側面パネル４３，４４の内面側に底内フラップ５２，５３を折り重ねた状態で、短辺側面パネル４３，４４を底内フラップ５２，５３と共に側面折曲線６２，６３に沿って１８０°谷折りにすることによって、図７に示すように、面積がより小さくなるよう折り畳むことができる。
【００８３】
参考形態の箱用シートは、長辺側面パネル４１，４２の内面側に蓋外フラップ４６，４７を折り重ね、短辺側面パネル４３，４４の内面側に蓋内フラップ５０，５１を折り重ねた状態で、短辺側面パネル４３，４４を蓋内フラップ５０，５１と共に側面折曲線６２，６３に沿って１８０°谷折りにすることにより小さく折り畳んでもよい。
【００８４】
さらに、参考形態の箱用シートは、短辺側面パネル４３，４４の上下方向の長さが左右方向の長さよりも大きい場合には、長辺側面パネル４１，４２の内面側に蓋外フラップ４６，４７及び底外フラップ４８，４９を折り重ね、短辺側面パネル４３，４４の内面側に蓋内フラップ５０，５１及び底内フラップ５２，５３を折り重ねた状態で、短辺側面パネル４３，４４を蓋内フラップ５０，５１及び底内フラップ５２，５３と共に側面折曲線６２，６３に沿って１８０°谷折りにすることによりさらに小さく折り畳むことができる。
【００８５】
＜端部折曲線＞
端部折曲線５４〜６１は、外フラップ４６〜４９及び内フラップ５０〜５３を長辺側面パネル４１，４２及び短辺側面パネル４３，４４に対して１８０°折り返す際に段ボールシートの厚さを吸収して段ボールシートの反力を低減することにより、外フラップ４６〜４９及び内フラップ５０〜５３を長辺側面パネル４１，４２及び短辺側面パネル４３，４４の内面に密着させるよう折り込むことを容易にする。
【００８６】
端部折曲線５４〜６１は、外フラップ４６〜４９及び内フラップ５０〜５３を独立して折曲可能とするために、外フラップ４６〜４９と内フラップ５０〜５３とを分離するスロットの奥縁に連続する折曲容易線と、このスロットの奥縁に連続する折曲容易線よりも上下方向外側に配置される折曲容易線とにより構成される。
【００８７】
端部折曲線５４〜６１を構成する折曲容易線は、それぞれ罫線として形成することができる。また、側面パネル４１〜４４の上縁の端部折曲線５４，５８，５５，５９は連続して形成することができ、側面パネル４１〜４４の下縁の端部折曲線５６６０，５７，６１も同様に連続して形成することができる。具体的には、側面パネル４１〜４４の上縁の端部折曲線５４，５８，５５，５９及び下縁の端部折曲線５６，６０，５７，６１は、参考形態の箱用シートの外縁を切り抜く前の長尺の段ボールシートにそれぞれスコアラーによって形成されるスコア罫線とすることができる。
【００８８】
端部折曲線５４〜６１をそれぞれ構成する２本の折曲容易線の間隔の下限としては、参考形態の箱用シートを形成する段ボールシートの平均厚さの１．０倍が好ましく、１．５倍がより好ましい。一方、端部折曲線５４〜６１をそれぞれ構成する２本の折曲容易線の間隔の上限としては、参考形態の箱用シートを形成する段ボールシートの平均厚さの３．０倍が好ましく、２．５倍がより好ましい。端部折曲線５４〜６１をそれぞれ構成する２本の折曲容易線の間隔が上記下限に満たない場合、段ボールシートの厚さを吸収して内フラップ５０〜５３を短辺側面パネル４３，４４の内面側に折り重ねることを容易化できないおそれがある。逆に、端部折曲線５４〜６１をそれぞれ構成する２本の折曲容易線の間隔が上記上限を超える場合、内フラップ５０〜５３を短辺側面パネル４３，４４の内面側に折り重ねたときに内フラップ５０〜５３と短辺側面パネル４３，４４との間に隙間が形成されて折り畳み状態での参考形態の箱用シートの厚さが不必要に大きくなるおそれがある。
【００８９】
＜側面折曲線＞
側面折曲線６２，６３は、参考形態の箱用シートを小さく折り畳むために短辺側面パネル４３，４４を谷折りにして長辺側面パネル４１，４２の間に折り込むことを可能にする。
【００９０】
側面折曲線６２，６３の補助折曲線６８〜７１に接続される端部は、切断線によって形成されていることが好ましい。側面折曲線６２，６３の端部を切断線によって形成することにより、段ボールシートを正確に側面折曲線６２，６３に沿って折り返すことを確実にすることができると共に、参考形態の箱用シートを小さく折り畳んだときに、側面折曲線６２，６３の端部への応力の集中を緩和することにより段ボールシートが破断することを防止できる。
【００９１】
側面折曲線６２，６３は、特に両端部以外の部分は、罫線又は段ボールシートを谷折りにすることが容易な逆罫線（段ボールシートの外面側に筋押しして形成される折曲容易線）によって形成されることが好ましい。側面折曲線６２，６３の端部以外の部分を罫線又は逆罫線によって形成することにより、参考形態の箱用シートを組み立ててなる箱体の強度低下を抑制することができると共に、箱体に不必要な隙間が形成されることを防止できる。なお、側面折曲線６２，６３の端部は、通常、参考形態の箱用シートを組み立ててなる箱体を封函する粘着テープによって覆われるため、切断によって形成されていても箱体に隙間を生じさせない。
【００９２】
側面折曲線６２，６３の端部の切断線の長さの下限としては、段ボールシートの厚さの１．０倍が好ましく、１．５倍がより好ましい。一方、側面折曲線６２，６３の端部の切断線の長さの上限としては、３０ｍｍが好ましく、２０ｍｍがより好ましい。側面折曲線６２，６３の端部の切断線の長さが上記下限に満たない場合、段ボールシートを側面折曲線６２，６３に沿って正確に折り返すことができないおそれや、応力集中を十分に緩和できないおそれがある。逆に、側面折曲線６２，６３の端部の切断線の長さが上記上限を超える場合、参考形態の箱用シートを組み立ててなる箱体の強度が不必要に低下するおそれや、箱体に不必要な隙間が形成されるおそれがある。
【００９３】
＜フラップ折曲線＞
フラップ折曲線６４〜６７は、内フラップ５０〜５３を短辺側面パネル４３，４４の内面に折り重ねた状態で、短辺側面パネル４３，４４と共に側面折曲線６２，６３に沿って１８０°折り返すことを可能にする。つまり、フラップ折曲線６４〜６７は、２つ折りにした短辺側面パネル４３，４４の段ボールシートの厚さを吸収するために、内フラップ５０〜５３をコの字状に２段階に折り返すよう促す。
【００９４】
フラップ折曲線６４〜６７を形成する折曲容易線は、それぞれ罫線であってもよいが、罫線と切断線とを交互に連設したリード罫線であることが好ましい。フラップ折曲線６４〜６７を形成する折曲容易線をリード罫線とすることによって、内フラップ５０〜５３を短辺側面パネル４３，４４と共に２つ折りにして長辺側面パネル４１，４２の間に折り込むことが容易となる。なお、フラップ折曲線６４〜６７は、参考形態の箱用シートを組み立ててなる箱体において、外フラップ４６〜４９によって覆われて外側に露出しないので、リード罫線によって形成しても強度低下は小さく、箱体に不必要な隙間を形成することもない。
【００９５】
フラップ折曲線６４〜６７を形成するリード罫線おける切断線の長さ割合の下限としては、２５％が好ましく、３０％がより好ましい。一方、フラップ折曲線６４〜６７を形成するリード罫線おける切断線の長さ割合の上限としては、６０％が好ましく、５５％がより好ましい。フラップ折曲線６４〜６７を形成するリード罫線おける切断線の長さ割合が上記下限に満たない場合、フラップ折曲線６４〜６７の折り曲げやすさが不十分となるおそれがある。逆に、フラップ折曲線６４〜６７を形成するリード罫線おける切断線の長さ割合が上記上限を超える場合、参考形態の箱用シートを小さく折り畳む際に内フラップ５０〜５３が破断するおそれがある。
【００９６】
フラップ折曲線６４〜６７を形成するリード罫線おける切断線の長さの下限としては、参考形態の箱用シートを形成する段ボールシートの平均厚さの１倍が好ましく、２倍がより好ましい。一方、フラップ折曲線６４〜６７を形成するリード罫線おける切断線の長さの上限としては、参考形態の箱用シートを形成する段ボールシートの平均厚さの８倍が好ましく、６倍がより好ましい。フラップ折曲線６４〜６７を形成するリード罫線おける切断線の長さが上記下限に満たない場合、切断線を正確に形成することが容易でなくなるおそれがある。逆に、フラップ折曲線６４〜６７を形成するリード罫線おける切断線の長さが上記上限を超える場合、切断線と切断線間の罫線との一体性が不足してフラップ折曲線６４〜６７に沿って段ボールシートを正確に折り曲げることが容易でなくなるおそれがある。
【００９７】
フラップ折曲線６４〜６６をそれぞれ構成する２本の折曲容易線の間隔の下限としては、参考形態の箱用シートを形成する段ボールシートの平均厚さの３．０倍が好ましく、３．５倍がより好ましい。一方、フラップ折曲線６４〜６６をそれぞれ構成する２本の折曲容易線の間隔の上限としては、参考形態の箱用シートを形成する段ボールシートの平均厚さの５．０倍が好ましく、４．５倍がより好ましい。フラップ折曲線６４〜６６をそれぞれ構成する２本の折曲容易線の間隔が上記下限に満たない場合、段ボールシートの厚さを吸収して内フラップ５０〜５３を短辺側面パネル４３，４４と共に１８０°折り返すことを容易化できないおそれがある。逆に、フラップ折曲線６４〜６６をそれぞれ構成する２本の折曲容易線の間隔が上記上限を超える場合、内フラップ５０〜５３を短辺側面パネル４３，４４と共に１８０°折り返したときに内フラップ５０〜５３と短辺側面パネル４３，４４との間に隙間が形成されて折り畳み状態での参考形態の箱用シートの厚さが不必要に大きくなるおそれがある。
【００９８】
＜補助折曲線＞
補助折曲線６８〜７１は、参考形態の箱用シートを小さく折り畳むときに、段ボールシートの側面折曲線６２，６３における折り曲げとフラップ折曲線６４〜６６における折り曲げとを連続的に行わせることができるので、短辺側面パネル４３，４４と内フラップ５０〜５３との境界近傍において、段ボールシートが不規則に折り曲げられることによって応力集中により破断することを防止することができる。
【００９９】
＜利点＞
参考形態の箱用シートは、端部折曲線５４〜６１が平行に形成される２本の折曲容易線によって形成されているため、外フラップ４６〜４９及び内フラップ５０〜５３を箱体の内側に折り込んで長辺側面パネル４１，４２及び短辺側面パネル４３，４４の内面に容易に折り重ねることができる。また、参考形態の箱用シートは、短辺側面パネル４３，４４に側面折曲線６２，６３が形成され、内フラップ５０〜５３にフラップ折曲線６４〜６７が形成されているため、短辺側面パネル４３，４４及び内フラップ５０〜５３を左右方向中央で２つ折りにして面積が小さくなるよう折り畳むことができる。さらに、参考形態の箱用シートは、フラップ折曲線６４〜６７が平行に形成される２本の折曲容易線によって形成されているため、折り重ねた状態の短辺側面パネル４３，４４及び内フラップ５０〜５３を短辺側面パネル４３，４４を内側にしてまとめて側面折曲線６２，６３に沿って１８０°容易に折り返すことができる。このため、参考形態の箱用シートは、外フラップ４６〜４９及び内フラップ５０〜５３を長辺側面パネル４１，４２及び短辺側面パネル４３，４４の内面側に折り返した状態で、短辺側面パネル４３，４４を内フラップ５０〜５３と共に谷折りにして長辺側面パネル４１，４２の間に挟み込み、面積が小さくなるよう容易に折り畳むことができる。これにより、折り畳み状態の箱用シートを複数重ねて宅配便等により発送する場合の費用が安価となる。
【産業上の利用可能性】
【０１００】
当該箱用シートは、使用数量が小さいユーザーに提供される箱用シートとして特に好適に利用することができる。
【符号の説明】
【０１０１】
１  第１長辺側面パネル
２  第２長辺側面パネル
３  第１短辺側面パネル
４  第２短辺側面パネル
５  継ぎしろ
６  第１蓋外フラップ
７  第２蓋外フラップ
８  第１底外フラップ
９  第２底外フラップ
１０  第１蓋内フラップ
１１  第２蓋内フラップ
１２  第１底内フラップ
１３  第２底内フラップ
１４  長辺端部折曲線
１５  短辺端部折曲線
１６  側面折曲線
１７  蓋折曲線
１８  蓋切り欠き
１９  底内縦折曲線
２０  底切り欠き
２１  補助切断線
２２  底傾斜折曲線
２３  二等辺三角形状部分
２４  台形状部分
２５  底横切断線
２６  底外縦折曲線
２７  底湾曲切断線
Ｔ  粘着テープ
【図１】
2019218102.tif 000003
【図２】
2019218102.tif 000004
【図３】
2019218102.tif 000005
【図４】
2019218102.tif 000006
【図５】
2019218102.tif 000007
【図６】
2019218102.tif 000008
【図７】
2019218102.tif 000009